(57)【要約】【課題】  視聴者が携帯端末でデジタルテレビ放送の部分受信サービスを視聴中、テレビ受信機で同じ内容のテレビサービスを視聴したいと欲するとき、次のような煩雑な手順が必要である。部分受信サービスのチャンネル番号を調べ、番組表を参照してテレビサービスのチャンネル番号を検索し、テレビ受信機のリモコンにより電源オン及びチャンネル切り替えの操作を行わなければならない。【解決手段】  部分受信サービスのチャンネル番号調査、テレビサービスのチャンネル番号の検索、テレビ受信機に対するリモコン操作を携帯端末で行う。一連の手順を起動するスイッチあるいはアイコンを設けることにより、簡単な操作でテレビ受信機のチャンネル切り替えを可能とする。【選択図】  図２
2008187307.tif 000002
【特許請求の範囲】
【請求項１】
テレビ放送波を受信して映像出力するテレビ受信機において、
複数チャンネルのテレビ放送波を選択受信するチューナーと、
前記チューナーにより受信した放送情報から当該チャンネルの放送サービス内容を出力する放送サービス出力部と、
前記放送サービス出力部により出力している放送サービスの第1のチャンネル番号情報を前記放送情報から取得するチャンネル情報取得部と、
前記第1のチャンネル番号情報を前記放送サービス出力部により出力している放送サービスと対応関係のある放送サービスのチャンネル番号情報に変換して第２のチャンネル番号情報を得るチャンネル情報変換部と、
前記第２のチャンネル番号情報を他のテレビ受信機に送信するチャンネル情報送信部と、
を備えたことを特徴とするテレビ受信機。
【請求項２】
請求項１に記載のテレビ受信機において、
前記チャンネル情報取得部は前記放送情報のPSI情報から部分受信サービスの第1のチャンネル番号情報を取得し、
前記チャンネル情報変換部は前記第1のチャンネル番号情報を部分受信サービスに対応するプライマリサービスのチャンネル番号情報に変換して第２のチャンネル番号情報を得る
ことを特徴とするテレビ受信機。
【請求項３】
テレビ放送波を受信して映像出力するテレビ受信機において、
複数チャンネルのテレビ放送波を選択受信するチューナーと、
前記チューナーにより受信した放送情報から当該チャンネルの放送サービス内容を出力する放送サービス出力部と、
前記放送サービス出力部により出力している放送サービスの番組タイトルを前記放送情報から取得する番組タイトル取得部と、
放送サービスの番組表情報から前記番組タイトルに類似する放送サービスを検索し、類似する放送サービスのチャンネル番号情報を得るチャンネル情報取得部と、
前記チャンネル情報取得部で得たチャンネル番号情報を他のテレビ受信機に送信するチャンネル情報送信部と、
を備えたことを特徴とするテレビ受信機。
【請求項４】
テレビ放送波を受信して映像出力するテレビ受信機において、
少なくとも放送サービスのチャンネル番号情報を含むユーザのチャンネル操作情報が入力されるチャネル番号情報入力部と、
前記チャネル番号情報入力部から入力された第1のチャンネル番号情報を前記第1のチャンネル番号情報により特定される放送サービスと対応関係のある放送サービスのチャンネル番号情報に変換して第２のチャンネル番号情報を得るチャンネル情報変換部と、
前記第２のチャンネル番号情報に基づいて複数チャンネルのテレビ放送波を選択受信するチューナーと、
前記チューナーにより受信した放送情報から当該チャンネルの放送サービス内容を出力する放送サービス出力部と、
を備えたことを特徴とするテレビ受信機。
【請求項５】
請求項４に記載のテレビ受信機において、
前記チャンネル情報変換部は、放送サービスの番組表情報から前記第1のチャンネル番号情報により特定される放送サービスの番組タイトルを取得し、放送サービスの番組表情報から前記番組タイトルに類似する他の放送サービスを検索し、検索した放送サービスのチャンネル番号情報を第２のチャンネル番号情報とする
ことを特徴とするテレビ受信機。
【請求項６】
テレビ放送波を受信して映像出力するテレビ受信機の受信チャンネル設定方法において、
放送サービスを出力しているトランスポートストリームからPSI情報を取得し、
前記PSI情報から当該放送サービスの第1のチャンネル番組情報を特定し、
前記第1のチャンネル番組情報を変換して当該放送サービスの他サービスを示す第２のチャンネル番組情報を取得し、
前記第２のチャンネル番組情報を設定して受信チャンネルを変更する
ことを特徴とする受信チャンネル設定方法。
【請求項７】
テレビ放送波を受信して映像出力するテレビ受信機の受信チャンネル設定方法において、
放送サービスを出力しているトランスポートストリームからPSI情報を取得し、
前記PSI情報から当該放送サービスの番組タイトル情報を特定し、
放送サービスの番組表情報から前記番組タイトルに類似する放送サービスを検索し、類似する放送サービスのチャンネル番号情報を特定し、
前記チャンネル番組情報を設定して受信チャンネルを変更する
ことを特徴とする受信チャンネル設定方法。
【請求項８】
テレビ放送波を受信して映像出力するテレビ受信機の受信チャンネル設定方法において、
少なくとも放送サービスのチャンネル番号情報を含むユーザのチャンネル操作情報が入力され、
前記チャンネル操作情報から第1のチャンネル番号情報を特定し、
前記第1のチャンネル番号情報により特定される放送サービスと対応関係のある放送サービスのチャンネル番号情報に変換して第２のチャンネル番号情報を取得し、
前記第２のチャンネル番組情報を設定して受信チャンネルを変更する
ことを特徴とする受信チャンネル設定方法。
【請求項９】
テレビ放送波を受信して映像出力するテレビ受信機の受信チャンネル設定方法において、
少なくとも放送サービスのチャンネル番号情報を含むユーザのチャンネル操作情報が入力され、
前記チャンネル操作情報から第1のチャンネル番号情報を特定し、
放送サービスの番組表情報から前記第1のチャンネル番号情報により特定される放送サービスの番組タイトルを取得し、
放送サービスの番組表情報から前記番組タイトルに類似する他の放送サービスを検索し、
検索した放送サービスのチャンネル番号情報を第２のチャンネル番号情報として受信チャンネルを変更する
ことを特徴とする受信チャンネル設定方法。
【発明の詳細な説明】
【技術分野】
【０００１】
本発明は、テレビ放送の視聴をおこなうテレビ受信機に係り、ユーザーの視聴希望番組への切り替えを容易におこなう技術に関する。
【背景技術】
【０００２】
デジタルテレビ放送では、一つの周波数チャンネルに複数の編成チャンネル（番組）を乗せることが可能である。標準テレビサービスを複数チャンネル分と部分受信サービス（通称ワンセグ放送）を放送する事も出来るし、ハイビジョン１チャンネルと部分受信サービスを放送する事も出来る。視聴者から見ると、アナログ放送時代に比べてより多くのチャンネルの中から視聴したいチャンネルを選ばなければならなくなる。部分受信サービスは携帯端末向けのテレビ放送である。電波状況が悪い中でも視聴可能とするために伝送エラーの少ない変調方式を採用しているが、そのため画面解像度が犠牲になっている。テレビサービスを補間するという位置付けであるため、標準またはハイビジョンのテレビサービス何れかの編成チャンネルと同じ内容が放送されることが多いだろうと言われている。
【０００３】
テレビ受信機の操作には赤外線リモコンを用いることが一般的である。携帯電話端末のような携帯端末にも赤外線コマンドを発行する機能が付いている場合がある。この機能を使えば携帯電話端末からテレビ受信機を操作することも可能である。
【０００４】
上記の技術は、例えば特許文献１に開示されており、詳しくは、携帯電話端末を使用してテレビ受信機のチャンネル切り替えを可能とする発明が開示されている。受信可能なテレビ番組の一覧を、スクロール可能なアイコンのメニューのように携帯電話の画面に表示する。視聴者は視聴を希望する番組に対応したアイコンを選択することが可能である。アイコンの選択が確定すると、携帯電話端末の赤外線コマンド発行機能を利用してテレビ受信機にチャンネルの切り替えを指示する赤外線コマンドを発行するという方法が記載されている。
【０００５】
【特許文献１】特開２００５−２９５１８７号公報
【発明の開示】
【発明が解決しようとする課題】
【０００６】
上記の従来技術によれば、携帯端末で部分受信サービスを視聴中の視聴者が、テレビ受信機で同じ内容のテレビサービスの視聴を希望する場合、受信中の部分受信サービスのチャンネル番号を確認の上、番組表などを参照して該当するテレビサービスを提供しているチャンネルを検索し、さらにテレビ受信機のリモコンを用いてテレビ受信機の電源を入れチャンネル切り替え操作を行う必要がある。この一連の操作を行うに際しては、視聴者は部分受信サービスの映像画面から目を離す必要もある。
【０００７】
また、上述した特許文献１では、携帯電話端末を利用して番組選択とチャンネル切り替え操作を簡便にするという記載はなされているものの、あくまで視聴者が番組を選ぶ必要があり、携帯端末で受信中の部分受信サービスと同じ内容を放送しているチャンネルを検索するという発想は一切ない。また、携帯電話端末の画面に番組選択メニューを表示する必要があり、メニュー表示時に部分受信サービスの画像表示が制約を受ける可能性もある。
【０００８】
本発明の目的は、上記課題を解決し、例えば、携帯端末とテレビ受信機で放送番組を継続視聴する場合に、チャンネルの切り替え操作をおこなうことなく放送番組の継続視聴を可能にするチャンネル切り替え方法を提供し、携帯端末及びテレビ受信機の操作に関する使い勝手を向上することにある。
【課題を解決するための手段】
【０００９】
上記目的は、視聴していた放送サービスのチャンネル番号情報や番組タイトル情報を取得し、継続視聴する場合に、前記チャンネル番号情報や番組タイトル情報を基に継続視聴する放送サービスのチャンネル番号情報を取得し、このチャンネル番号情報によりチャンネルの切り替えをおこなうことにより解決される。
【００１０】
より詳しくは、本発明のテレビ放送波を受信して映像出力するテレビ受信機は、複数チャンネルのテレビ放送波を選択受信するチューナーと、前記チューナーにより受信した放送情報（たとえばトランスファーストリーム情報）から当該チャンネルの放送サービス内容を出力する放送サービス出力部と、前記放送サービス出力部により出力している放送サービスの第1のチャンネル番号情報を前記放送情報から取得するチャンネル情報取得部と、前記第1のチャンネル番号情報を前記放送サービス出力部により出力している放送サービスと対応関係のある放送サービスのチャンネル番号情報に変換して第２のチャンネル番号情報を得るチャンネル情報変換部と、前記第２のチャンネル番号情報を他のテレビ受信機に送信するチャンネル情報送信部と、を備えるようにした。
【００１１】
また、本発明のテレビ放送波を受信して映像出力するテレビ受信機は、複数チャンネルのテレビ放送波を選択受信するチューナーと、前記チューナーにより受信した放送情報から当該チャンネルの放送サービス内容を出力する放送サービス出力部と、前記放送サービス出力部により出力している放送サービスの番組タイトルを前記放送情報から取得する番組タイトル取得部と、放送サービスの番組表情報から前記番組タイトルに類似する放送サービスを検索し、類似する放送サービスのチャンネル番号情報を得るチャンネル情報取得部と、前記チャンネル情報取得部で得たチャンネル番号情報を他のテレビ受信機に送信するチャンネル情報送信部と、を備えるようにした。
【発明の効果】
【００１２】
本発明によれば、携帯端末及びテレビ受信機の操作に関する使い勝手を向上することが出来る。たとえば、携帯端末で受信している部分受信サービスと同じ内容のテレビサービスへテレビ受信機のチャンネルを切り替える操作を一回のスイッチ操作で行うことが出来る。
【発明を実施するための最良の形態】
【００１３】
本発明によれば、携帯端末で受信中の部分受信サービスと同じ内容のテレビサービスの検索、テレビ受信機への電源オン指示や検索の結果得られたチャンネル番号への切り替え指示を、一回のスイッチ操作で行うことが出来るようになる。
【００１４】
同じ内容のテレビサービスの検索においては、部分受信サービスの番組特定情報（ＰＳＩ）から推定することも出来るし、ＥＰＧの情報を用いてより正確に検索することも出来る。同じ内容のテレビサービスの検索は、携帯端末側で行うことも出来る。この場合、携帯端末の機能上の制約によりＥＰＧの情報が使えない場合もありうる。その場合は番組特定情報（ＰＳＩ）から推定する方法を取ればよい。また、同じ内容のテレビサービスの検索をテレビ受信機側で行うことも出来る。この場合はＥＰＧの情報から検索することも可能である。
【００１５】
携帯端末からテレビ受信機へ赤外線コマンドを発行することにより、テレビ受信機の操作を行う。操作対象のテレビ受信機の一般的な赤外線コマンドのみを利用して本発明を実施することが出来る。一般的な赤外線コマンドとは、「電源オン／オフ」「指定の番号へのチャンネル切り替え」である。これらの赤外線コマンドはどのテレビ受信機でも備えているものである。従ってテレビ受信機のメーカによらず、汎用的に実施することが出来る。赤外線コマンドの体系はメーカによって異なる。同じ「電源オン／オフ」コマンドであっても、送出される赤外線フォーマット（赤外線の波形）は異なる。よって、携帯端末側であらかじめテレビ受信機のメーカを設定しておき、その設定に従って赤外線フォーマットを選択することにより、汎用性を高めることが出来る。全く新しい赤外線コマンド体系が出現した場合には、本発明による手段を実現するプログラムの差し替えによって対応可能である。プログラムの差し替えには、ＩＣカードなどを利用しても良いし、デジタルテレビ放送のエンジニアリングストリームを利用しても良いし、有線あるいは無線によるネットワーク接続を利用しても良い。
【００１６】
テレビ受信機側に新たに赤外線コマンドを追加し、追加した赤外線コマンドを使用することも可能である。この場合汎用性は失われるが、テレビ操作を確実に行うことが出来るという利点がある。「電源オン／オフ」コマンドのほかに「電源オン」コマンドを追加すれば、テレビ受信機の電源オン操作をより確実に行えるようになる。
【００１７】
テレビ受信機側で「同  じ内容のチャンネル」の検索を行うようにする目的で、「３桁番号伝送」コマンド、「同じ内容のチャンネルへの切り替え」コマンドを追加することも出来る。テレビ受信機側での「同じ内容のチャンネル」検索は、ＥＰＧの情報を使ってより正確に行うことも可能である。この場合は、携帯端末からテレビ受信機へ「３桁番号伝送」コマンドを使い、受信中の部分受信サービスのチャンネル番号を伝える。そして、「同じ内容のチャンネルへの切り替え」コマンドにより、テレビ受信機側での「同じ内容のチャンネル」の検索とチャンネル切り替えを指示することが出来る。
【００１８】
以下に、本発明の実施形態を図面を用いて説明する。
図１に本実施例の携帯端末の構成図を示す。この携帯端末はデジタルテレビ放送を受信し、その動画像を表示し、音声を出力することが出来る。
【００１９】
ＣＰＵ１０１にチューナ復調部１０３、画像出力部１０５、音声出力部１０７、システムバス１０４が接続される。
【００２０】
アンテナ１０２はデジタルテレビ放送波を受ける。チューナ復調部１０３は、システムバス１０４を介してＣＰＵ１０１が発行するコマンドに従って視聴すべき放送局からのデジタルテレビ放送波を選局し復調を行う。
【００２１】
画像出力部１０５は、画像デコーダ１１６からのピクセル情報ストリームを受け、表示器１０６にて表示可能となるようにタイミング信号を付加する。表示器１０６は、例えば液晶ディスプレイパネルである。
【００２２】
音声出力部１０７は、音声デコーダ１１７からのＰＣＭストリームを受け、アナログ音声信号に変換する。その出力はイヤホンジャック１０８を介して接続されるイヤホン（図示しない）に送られる。
【００２３】
システムバス１０４には、ＣＰＵ１０１、チューナ復調部１０３、フラッシュＲＯＭ１０９、ＲＡＭ１１０、キーパッド制御部１１１、赤外線ＬＥＤ制御部１１３、ＩＣカードリーダ１２０が接続される。ＣＰＵ１０１はシステムバス１０４を介して、チューナ復調部１０３、フラッシュＲＯＭ１０９、ＲＡＭ１１０、キーパッド制御部１１１、赤外線ＬＥＤ制御部１１３、ＩＣカードリーダ１２０との通信（コマンド発行、状態取得、データ交換等）を行うことが出来る。
【００２４】
フラッシュＲＯＭ１０９は、ＯＳ（図示しない）や後述のソフトウエアモジュールのプログラムコードを格納する。また、ＣＰＵ１０１はフラッシュＲＯＭ１０９にデータを書き込むことも出来る。
【００２５】
ＲＡＭ１１０は、ＯＳやソフトウエアモジュールのワーキング記憶領域として使用される。
【００２６】
キーパッド制御部１１１は、キーパッド１１２のキーの押下状態に応じて、ＣＰＵ１０１に対して割り込み信号やキーデータを送出する。
【００２７】
赤外線ＬＥＤ制御部１１３は、コントローラ１１９から送られて来るデータによって変調した赤外線変調波の波形を生成する。赤外線コマンド送出部１１４は、赤外線ＬＥＤ制御部１１３からの波形信号を受け、赤外線ＬＥＤを駆動して赤外線コマンドを送出する。赤外線コマンド送出については後述する。
【００２８】
ＩＣカードリーダ１２０は、ＩＣカード１２１に格納されているデータの読み取りを可能とする。別途ＰＣ（図示しない）等を用いてアプリケーションソフトウエアをＩＣカード１２１に書き込んだ上で、ＩＣカード１２１をＩＣカードリーダ１２０に装着すれば、ＣＰＵ１０１は該アプリケーションソフトウエアを読み取ることが可能になる。ＣＰＵ１０１は、ＩＣカード１２１から該アプリケーションソフトウエアを読み取り、フラッシュＲＯＭ１０９に書き込み（コピー）することが可能である。このようにして、本実施例の携帯端末はアプリケーションソフトウエアのアップデートが可能である。
【００２９】
チューナ復調部１０３はトランスポートストリーム（以下、本明細書においてはＴＳと略記する）を出力する。ＴＳとは、デジタル化された画像ストリームと音声ストリーム及びそれらに付随するシステム情報を重畳したビットストリームである。
【００３０】
ＴＳデマルチプレクサ１１５、画像デコーダ１１６、音声デコーダ１１７、システムデコーダ１１８、コントローラ１１９は、ＣＰＵ１０１にて実行されるソフトウエアモジュールである。これらソフトウエアモジュールの実体はフラッシュＲＯＭ１０９に格納されている。これらソフトウエアモジュールはマルチタスクＯＳ（図示しない）上で時分割実行される。
【００３１】
ＴＳデマルチプレクサ１１５は、チューナ復調部１０３からＴＳを受け取り、重畳されている画像ストリームと音声ストリーム、システム情報を分離する。分離された画像ストリームは画像デコーダ１１６へ、音声ストリームは音声デコーダ１１７へ、システム情報はシステムデコーダ１１８へ送られる。
【００３２】
画像デコーダ１１６は、コントローラ１１９からの指示に従って画像ストリームから動画像を再構成する。画像フレームの表示順に画像フレームを構成するピクセル情報を画像出力部１０５へ出力する。
【００３３】
音声デコーダ１１７は、コントローラ１１９からの指示に従って音声ストリームから音声フレームを再構成する。音声フレームの再生順に音声フレームを構成するＰＣＭデータを音声出力部１０７へ出力する。
【００３４】
システムデコーダ１１８は、ＴＳに関する情報を取り出す。デジタルテレビ放送では、１つのＴＳに複数の番組を乗せて放送することが可能である。視聴者が指定する番組を特定するために番組特定情報（Ｐｒｏｇｒａｍ  Ｓｐｅｃｉｆｉｃ  Ｉｎｆｏｒｍａｔｉｏｎ、以下本明細書においてはＰＳＩと略記する）及び番組配列情報（Ｓｅｒｖｉｃｅ  Ｉｎｆｏｒｍａｔｉｏｎ、以下本明細書においてはＳＩと略記する）がＴＳに重畳されている。システムデコーダ１１８は、ＴＳデマルチプレクサ１１５によってＴＳから分離されたシステム情報よりＰＳＩとＳＩを抽出する。ＰＳＩに関しては後述する。
【００３５】
コントローラ１１９はシステムバス１０４を介して接続される各種デバイス（チューナ復調部１０３、フラッシュＲＯＭ１０９、ＲＡＭ１１０、キーパッド制御部１１１、赤外線ＬＥＤ制御部１１３、ＩＣカードリーダ１２０）との通信を行う。また各ソフトウエアモジュール（ＴＳデマルチプレクサ１１５、画像デコーダ１１６、音声デコーダ１１７、システムデコーダ１１８）に対して制御信号を送る。視聴者がキーパッド１１２を操作すると、キーパッド制御部１１１がコントローラ１１９に対して割り込み信号を発行する。コントローラ１１９は、キーパッド制御部１１１からの割り込み信号を受けるとキーパッド制御部１１１にアクセスし、キーの押下状態（どのキーが押されたか）を読み取る。キーパッド１１２には複数のキーがあり、例えば「テレビ受信開始」、「テレビ受信終了」、「チャンネル切り替え」などの機能が割り当てられている。コントローラ１１９は各種デバイス及び各ソフトウエアモジュールに対しこれらの機能に該当する処理を行う。
【００３６】
本実施例の携帯端末２０１と据え置き型テレビ受信機２０３との連携の説明を行う前に、日本におけるデジタルテレビ放送について本実施例で触れる範囲にて説明する。１つの放送事業者は１つのＴＳを放送する。ＴＳには、３つの標準解像度テレビサービスと１つの部分受信サービス及びデータサービスを重畳することが出来る（本実施例においては「タイプ１」とする）。また、１つの高解像度テレビサービスと１つの部分受信サービスとデータサービスを重畳することが出来る（本実施例においては「タイプ２」とする）。ここで、テレビサービスとは、従来のアナログテレビ放送における「チャンネル」と考えることが出来る。
【００３７】
部分受信サービスとは、通称「ワンセグ放送」と呼ばれるテレビ放送である。部分受信サービスは、携帯端末型テレビ、車載テレビなどでの視聴を前提としたテレビ放送である。その動画像は簡易動画と呼ばれ、テレビサービスと比較すると画像の解像度が低い。その代わりに画像再構成に必要なＣＰＵリソースが少なくて済む。このため装置の小型化、低消費電力化を図ることができ、携帯端末型テレビや車載テレビに好適である。
【００３８】
タイプ１のＴＳでは、１つの放送搬送波で３つの標準解像度テレビサービス（テレビチャンネル）と、１つの部分受信サービス（ワンセグチャンネル）を放送することができる。タイプ２のＴＳでは、１つの放送搬送波で１つの高解像度テレビサービスと１つの部分受信サービスを放送することが出来る。
【００３９】
このようにデジタルテレビ放送では、従来のアナログテレビ放送に比較してチャンネル数が多い。視聴したいチャンネルを一意に特定するには、「３桁番号」と言われる３桁の数字の組み合わせが用いられる。一般に３桁番号はテレビのリモコンを用いて、数字キー（０から９）を３回押して指定することが出来る。しかしチャンネル選択時に毎度３桁番号を入力することはわずらわしいことである。このため、従来のアナログテレビ放送と同様にリモコンの数字キー（１から１２）を１つ押せば、各放送事業者の代表的なチャンネルを選局することが出来るように、あらかじめ各数字キー（１から１２）に対して３桁番号が割り当てられている。よってアナログテレビ放送のときと同じように、数字キーを１回押すだけでチャンネルを変えることが出来る。
【００４０】
「代表的なチャンネル」は「プライマリサービス」と呼ばれている。タイプ１のＴＳでは、１つの搬送波に３つの標準解像度テレビサービスが重畳されており、３つの異なる番組を同時に放送することが出来る。それぞれのテレビサービスにはサービス番号（０から７、後述）が付与されている。プライマリサービスとはこのサービス番号が０であるテレビサービスのことである。
【００４１】
また、テレビサービスと同一の番組を部分受信サービス（ワンセグ放送）でも同時に放送することをサイマル放送と言う。プライマリサービスと同じ番組を部分受信サービスでも放送しなければならないと言う制約はないが、実際の運用ではそのようになることが多いと思われる。つまり、携帯端末で視聴中の部分受信サービスと同じ内容の番組が、テレビサービスのプライマリサービスとして放送されるケースは多いと思われる。
【００４２】
図２を用いて、本実施例の携帯端末２０１から据え置き型テレビ受信機２０３に対して赤外線コマンドを送る機能について説明する。
携帯端末２０１は、図１を用いて説明した構成を持つ携帯端末である。携帯端末２０１は表示器１０６、キーパッド１１２、赤外線コマンド送出部１１４を備える。携帯端末２０１では、ある放送事業者の部分受信サービス（ワンセグ放送）を視聴中であるとする。
【００４３】
据え置き型テレビ受信機２０３は、テレビ画面２０４と赤外線コマンド受信部２０５を備える。据え置き型テレビ受信機２０３は主電源オンの状態であるが、テレビ放送は受信していない（テレビオフ）状態であるとする。
【００４４】
視聴者が携帯端末２０１で部分受信サービスを視聴中、番組内容に興味を抱き、据え置き型テレビ受信機２０３の大きな画面での視聴を望んだとする。従来の例では、視聴者が次のような操作を行う必要がある。
（１）携帯端末２０１で受信中の部分受信サービスの３桁番号を調べる。
（２）調べた３桁番号から放送事業者（局）を割り出す。
（３）据え置き型テレビ受信機２０３に付属のリモコン（図示しない）を用いてチャンネルを切り替える。
【００４５】
本実施例では、携帯端末２０１のキーパッド１１２の１つのキー２０２に上記（１）〜（３）のシーケンスと同様の効果を発揮する機能を割り当てる。以下、キー２０２を機能キー２０２と呼ぶ。視聴者が機能キー２０２を押下すると、コントローラ１１９（図１）は受信中の部分受信サービスのＰＳＩを調べ、対応するテレビサービスのプライマリサービスの３桁番号を合成する。そして、据え置き型テレビ受信機２０３に付属のリモコンが発する赤外線コマンドと同じフォーマットの「３桁番号指定チャンネル切り替え」赤外線コマンドを赤外線コマンド送出部１１４から送出する。これにより、据え置き型テレビ受信機２０３の視聴チャンネルは、携帯端末２０１で視聴中の部分受信サービスに対応するテレビサービスへと切り替えられる。この手段は、携帯端末２０１のＩＣカード１２１に格納されたアプリケーションソフトウエアとして提供される。このアプリケーションソフトウエアをフラッシュＲＯＭ１０９にコピーしても良い。
【００４６】
図２を用いて説明した機能を備えるための手段を図３、図４を用いて説明する。
図３を用いて、受信中の部分受信サービスのＰＳＩから、対応するテレビサービスのプライマリサービスの３桁番号を合成する手段を説明する。ＴＳ３０１は画像データ、音声データ、システム情報が重畳されたビットストリームである。図３では帯のように表記した。ＴＳデマルチプレクサ１１５（図１）はＴＳ３０１からシステム情報を分離する。システム情報の１つであるＰＳＩ３０２は、システムデコーダ１１８でデコードされる。デコードされたＰＳＩ３０２は、コントローラ１１９から参照可能なデータ構造を成す。ＰＳＩは図３に示すように、ＰＡＴ（プログラムアソシエーションテーブル）３０３、ＣＡＴ（限定受信テーブル）３０４、ＰＭＴ（プログラムマップテーブル）３０５、ＮＩＴ（ネットワーク情報テーブル）３０６の４つのテーブルからなる。ＮＩＴ３０６は、部分受信記述子３０７、ＴＳ情報記述子３０９を含む。部分受信記述子３０７は、ｓｅｒｖｉｃｅ＿ｉｄ３０８を含む。ＴＳ情報記述子３０９は、ｒｅｍｏｔｅ＿ｃｏｎｔｒｏｌ＿ｋｅｙ＿ｉｄ３１０を含む。
【００４７】
ｓｅｒｖｉｃｅ＿ｉｄ３０８は、１６ビットのデータである。その第０ビット（ＬＳＢ側）、第１ビット、第２ビットの３ビットは、サービス番号（０〜７）を示す。サービス番号は、ＴＳのサービス種別（後述）毎に放送事業者が設定可能な番号である。ただし、プライマリサービスのサービス番号は「０」であることが規定されている。
【００４８】
ｓｅｒｖｉｃｅ＿ｉｄ３０８の第７ビット、第８ビットの２ビットはサービス種別（０〜３）を示す。サービス種別の値が０の場合は、「テレビサービス」を表す。サービス種別の値が１又は２の場合は、「データサービス」を表す。サービス種別の値が３の場合は、「部分受信サービス」を表す。
【００４９】
ｒｅｍｏｔｅ＿ｃｏｎｔｒｏｌ＿ｋｅｙ＿ｉｄ３１０は、放送事業者ごとに割り当てられる１〜１２の値を持つデータである。サービス種別の値と、ｒｅｍｏｔｅ＿ｃｏｎｔｒｏｌ＿ｋｅｙ＿ｉｄ３１０の値と、サービス番号の値から３桁番号を合成することが出来る。３桁番号は、サービス種別の値に２００をかけた値と、ｒｅｍｏｔｅ＿ｃｏｎｔｒｏｌ＿ｋｅｙ＿ｉｄ３１０の値に１０をかけた値と、サービス番号に１を足した値とを足し合わせて得られる番号である。
【００５０】
受信中の部分受信サービスと同一のＴＳにて放送されているテレビサービスのプライマリサービスの３桁番号を求める。サービス種別を０（テレビサービスを表す）とし、ｒｅｍｏｔｅ＿ｃｏｎｔｒｏｌ＿ｋｅｙ＿ｉｄ３１０と、サービス番号０（プライマリサービスのサービス番号）とから算出される３桁番号が求める３桁番号である。
【００５１】
部分受信サービスとして、テレビサービスのプライマリサービスのサイマル放送が行われるとは限らないが、部分受信サービスがメインのチャンネルに対する「補完放送」であるという位置付けから、当面は部分受信サービスのプライマリサービスと、テレビサービスのプライマリサービスとでサイマル放送が行われるだろうと思われる。例えばスポーツの国際試合のようなプレミアムコンテンツ（高い視聴率が期待される番組）は、タイプ２のＴＳを使いテレビサービスのプライマリサービスで高解像度テレビ放送を行い、また携帯端末で視聴する視聴者のために部分受信サービスでサイマル放送を行うといった運用が多くなるだろうと思われる。よって、３桁番号を求める際にサービス番号を０に固定したとしても、携帯端末２０１で受信している部分受信サービスのサイマル放送の３桁番号を得られる可能性が高い。
【００５２】
以上のようにして、携帯端末２０１が据え置き型テレビ受信機２０３に対して発行する「３桁番号指定チャンネル切り替え」赤外線コマンドにおいて指定する３桁番号が定まる。
【００５３】
なお、上記においては３桁番号を求める際サービス番号を０に固定したが、これを部分受信サービスのサービス番号と同じ値にすることも出来る。このようにすると、将来のデジタルテレビ放送の運用において、サイマル放送を行うサービス間でサービス番号を同一にするといった規定になったとしても対応することが出来る。サービス番号を定める方法が変更になるが、携帯端末２０１においては、その変更を取り入れた新しいアプリケーションソフトウエアをＩＣカード１２１からフラッシュＲＯＭ１０９にコピーすることによりアプリケーションソフトウエアをアップデートすることが出来る。
【００５４】
本実施例では、携帯端末２０１から据え置き型テレビ受信機２０３へ送る赤外線コマンドに乗せるデータコードを汎用データコードと表す。他の実施例においてデータコードを拡張する場合があり、それらとの対比を明確にするためである。また、赤外線コマンドには装置の製品種類を示すデバイスコード（後述）を乗せる。
【００５５】
ここで、図４の表４０１を用いて、デバイスコード、汎用データコードのビット長とビットパターンの一例を説明する。列４０２は、デバイスコード、汎用データコードの種類を示す。列４０３はそれぞれのビット長を示す。列４０４はそれぞれのビットパターンを示す。
【００５６】
デバイスコードに関する行４０５から、デバイスコードのビット長は４ビットで、ビットパターンは‘０００１’であることが分かる。デバイスコードは製品機種ごとにユニークな値を持ち、ここでは据え置き型テレビ受信機２０３の場合の例を示している。
【００５７】
行４０６から、「電源オン／オフ」を表す汎用データコードのビット長は４ビット、ビットパターンは‘１１１０’であることが分かる。
【００５８】
行４０７から、「３桁番号指定チャンネル切り替え」を表す汎用データコードのビット長は１６ビットであることが分かる。ビットパターンは‘１１０１’に続いて３桁番号の百の位の値を４ビットで表現したビットパターン、３桁番号の十の位の値を４ビットで表現したビットパターン、３桁番号の一の位の値を４ビットで表現したビットパターンが続く。
【００５９】
赤外線コマンドには、例えば、「電源ＯＮ／ＯＦＦ」赤外線コマンドがあり、これは、デバイスコードと電源ＯＮ／ＯＦＦデータコードを続ける。
【００６０】
コントローラ１１９はビットパターンを生成する。赤外線ＬＥＤ制御部１１３は、ビットパターンを受け取り、それに従って赤外線搬送波を変調する。変調波は赤外線コマンド送出部１１４に送られ、赤外線コマンドとして送出される。
【００６１】
本実施例では、赤外線コマンドの受け手として据え置き型テレビ受信機２０３を例にとっているが、これが他メーカ（仮にＢ社とする）のテレビである場合には次のようにして対応可能である。一般に赤外線コマンドのフォーマット（送出するビットパターン）はメーカによって異なる。本実施例では、赤外線コマンドの元信号となる送出するビットパターンをコントローラ１１９が生成する。従ってアプリケーションソフトウエアを交換することによって送出赤外線コマンドをＢ社の赤外線コマンド体系に合わせることが可能である。このように主だったメーカの赤外線コマンド体系に合わせたアプリケーションソフトウエアをそれぞれ提供し、視聴者が使うテレビに合わせて選択することにより適合した赤外線コマンドを使うことが出来る。
【００６２】
上記では、テレビメーカごとにアプリケーションソフトウエアを用意する例を示したが、テレビメーカ共通のアプリケーションソフトウエアを用意することも可能である。この場合には、該共通アプリケーションソフトウエアの初期設定において、視聴者が使用するテレビのメーカを設定する。設定時に指定されるテレビのメーカ設定情報はフラッシュＲＯＭ１０９に格納しておく。該共通アプリケーションソフトウエアは赤外線コマンドを発行する前にメーカ設定情報を読み取り、それに従った赤外線コマンド体系を選択する。
【００６３】
また、テレビメーカ毎に赤外線コマンドのフォーマットは異なるものの、「テレビ電源のオン／オフ」コマンドや、「三桁番号指定チャンネル切り替え」コマンドなど基本的なテレビ操作に必要なコマンドは、いずれのテレビメーカの赤外線コマンド体系に存在する。これら基本的な操作のリモコンコマンドを発行できるようにすることで携帯端末２０１の汎用性が高まる。
【００６４】
図５を用いて、機能キー押下／開放のタイミングと「３桁番号指定チャンネル切り替えコマンド」の発行タイミングを説明する。機能キー押下区間５０１で機能キー２０２が押下（視聴者が指で押す）され、機能キー開放区間５０２で機能キーが開放（指を離す）される。機能キー押下区間５０１は、例えば1秒以下とする。機能キーが押下されるとコントローラが据え置き型テレビ受信機２０３に送出すべき３桁番号を定め、「三桁番号指定チャンネル切り替え」赤外線コマンドを発行する（区間５０３）。
【００６５】
ここまでは、据え置き型テレビ受信機２０３が既に電源オンの状態であると仮定して、携帯端末２０１から据え置き型テレビ受信機２０３のチャンネル切り替えを行う手段を説明した。次に据え置き型テレビ受信機２０３が電源オフの状態にある場合について説明する。
【００６６】
本発明が効果的である利用シナリオの一例は次の通りである。帰宅中、携帯端末２０１でスポーツ中継番組を視聴していた視聴者が自宅に到着し、番組の続きを据え置き型テレビ受信機２０３の大きな画面で視聴することを望む、といったケースである。この場合、据え置き型テレビ受信機２０３が電源オフの状態にあることもある。視聴者からしてみれば、今まで見ていた携帯端末２０１の機能キー２０２を押すだけで、据え置き型テレビ受信機２０３をオンにして、チャンネル変更も行ってくれるのが理想的である。
【００６７】
「テレビ電源のオン／オフ」コマンドは、該コマンドの送出時においてテレビがオフならばオンにする、オンならばオフにするように機能する。視聴者がリモコンを操作する場合、1つのキーでオン／オフを切り替えられるため直感的に分かりやすいと言う利点がある。
【００６８】
一方、本実施例の携帯端末２０１のような装置からリモコンコマンドを送出して電源のオン／オフを制御しようとした場合、装置側では現在のテレビのオン／オフ状態がわからないため、「テレビ電源のオン／オフ」コマンドを用いてオン／オフを制御するには工夫が必要となる。
【００６９】
図５の場合をベースにして、「三桁番号指定チャンネル切り替え」赤外線コマンドを発行する前に単純に「テレビ電源のオン／オフ」コマンドを発行するようにしたとする。据え置き型テレビ受信機２０３が電源オフ状態にある場合にはテレビがオンになり、チャンネルが切り替わると言う期待通りの動作が行われる。しかし、据え置き型テレビ受信機２０３が電源オン状態にある場合には、追加した「テレビ電源のオン／オフ」コマンドによって電源オフ状態になってしまい、期待する動作とは異なってしまう。
【００７０】
そこで、機能キー２０２が例えば１秒以上押下（長押し）される場合に「テレビ電源のオン／オフ」コマンドを追加発行するようにする。図６にそのタイミングを示す。キー押下区間６０１の長さは図示するように１秒以上である。機能キーが押下された後、図５の場合と同様のタイミングで「三桁番号指定チャンネル切り替え」赤外線コマンドを発行する（区間６０２）。機能キーの押下開始から１秒経過した後、「テレビ電源のオン／オフ」赤外線コマンドを発行する（区間６０３）。それに引き続き「三桁番号指定チャンネル切り替え」赤外線コマンドを再度発行する（区間６０４）。
【００７１】
据え置き型テレビ受信機２０３が電源オン状態のとき、機能キー２０２を１秒未満の長さで押下すると、据え置き型テレビ受信機２０３のチャンネルが切り替えられる。また、据え置き型テレビ受信機２０３が電源オフ状態のとき、機能キー２０２を１秒以上の長さで押下すると、押下から約１秒後に据え置き型テレビ受信機２０３の電源がオンになり、チャンネルが切り替えられる。機能キー２０２をすぐに開放するか、長押しするかは視聴者が判断する。
【００７２】
図７に据え置き型テレビ受信機２０３（図２）の構成図を示す。この据え置き型テレビ受信機２０３はデジタルテレビ放送を受信し、その動画像を表示し、音声を出力することが出来る。ＣＰＵ７０１にチューナ復調部７０３、画像出力部７０５、音声出力部７０７、システムバス７０４が接続される。
【００７３】
アンテナ７０２はデジタルテレビ放送波を受ける。チューナ復調部７０３は、システムバス７０４を介してＣＰＵ７０１が発行するコマンドに従って視聴すべき放送局からのデジタルテレビ放送波を選局し復調を行う。
【００７４】
画像出力部７０５は、画像デコーダ７１４からのピクセル情報ストリームを受け、表示器７０６にて表示可能となるようにタイミング信号を付加する。表示器７０６は、例えば液晶ディスプレイパネルである。
【００７５】
音声出力部７０７は、音声デコーダ７１５からのＰＣＭストリームを受け、アナログ音声信号に変換する。その音声はスピーカ７０８から出力される。
【００７６】
システムバス７０４には、ＣＰＵ７０１、チューナ復調部７０３、フラッシュＲＯＭ７０９、ＲＡＭ７１０、赤外線受光制御部７１１、ＩＣカードリーダ７１８、ハードディスクドライブインターフェース７２１が接続される。ＣＰＵ７０１はシステムバス７０４を介して、チューナ復調部７０３、フラッシュＲＯＭ７０９、ＲＡＭ７１０、赤外線受光制御部７１１、ＩＣカードリーダ７１８、ハードディスクドライブインターフェース７２１との通信（コマンド発行、状態取得、データ交換等）を行うことが出来る。
【００７７】
フラッシュＲＯＭ７０９は、ＯＳ（図示しない）や後述のソフトウエアモジュールのプログラムコードを格納する。また、ＣＰＵ７０１はフラッシュＲＯＭ７０９にデータを書き込むことも出来る。ＲＡＭ７１０は、ＯＳやソフトウエアモジュールのワーキング記憶領域として使用される。
【００７８】
赤外線受光制御部７１１は、赤外線コマンド受光部７１２から送られてくるデジタル信号から赤外線コマンドを読み取り、ＣＰＵ７０１に対して割り込み信号や赤外線コマンドのデータコードを送出する。
【００７９】
赤外線コマンド受光部７１２は、外部から送られて来る赤外線変調波を受光し、それをＨｉ区間、Ｌｏ区間からなるデジタル信号に復調して赤外線受光制御部７１１へ送る。
【００８０】
ＩＣカードリーダ７１８は、ＩＣカード７１９に格納されているデータの読み取りを可能とする。別途ＰＣ（図示しない）等を用いてアプリケーションソフトウエアをＩＣカード７１９に書き込んだ上で、ＩＣカード７１９をＩＣカードリーダ７１８に装着すれば、ＣＰＵ７０１は該アプリケーションソフトウエアを読み取ることが可能になる。ＣＰＵ７０１は、ＩＣカード７１９から該アプリケーションソフトウエアを読み取り、フラッシュＲＯＭ７０９やハードディスクドライブ７２０に書き込み（コピー）することが可能である。このようにして、本実施例の据え置き型テレビ受信機はアプリケーションソフトウエアのアップデートが可能である。
【００８１】
ハードディスクドライブ７２０は、ハードディスクドライブインターフェース７２１を介してシステムバスに接続される。ＣＰＵ７０１はハードディスクドライブ７２０に情報を格納したり、取り出したりすることが出来る。
【００８２】
チューナ復調部７０３は、選局した放送事業者から送られてくるＴＳを出力する。
ＴＳデマルチプレクサ７１３、画像デコーダ７１４、音声デコーダ７１５、システムデコーダ７１６、コントローラ７１７は、ＣＰＵ７０１にて実行されるソフトウエアモジュールである。これらソフトウエアモジュールの実体はフラッシュＲＯＭ７０９に格納されている。これらソフトウエアモジュールはマルチタスクＯＳ（図示しない）上で時分割実行される。
【００８３】
ＴＳデマルチプレクサ７１３は、チューナ復調部７０３からＴＳを受け取り、重畳されている画像ストリームと音声ストリーム、システム情報を分離する。分離された画像ストリームは画像デコーダ７１４へ、音声ストリームは音声デコーダ７１５へ、システム情報はシステムデコーダ７１６へ送られる。
【００８４】
画像デコーダ７１４は、コントローラ７１７からの指示に従って画像ストリームから動画像を再構成する。画像フレームの表示順に画像フレームを構成するピクセル情報を画像出力部７０５へ出力する。
【００８５】
音声デコーダ７１５は、コントローラ７１７からの指示に従って音声ストリームから音声フレームを再構成する。音声フレームの再生順に音声フレームを構成するＰＣＭデータを音声出力部７０７へ出力する。
【００８６】
システムデコーダ７１６は、ＴＳデマルチプレクサ７１３によってＴＳから分離されたシステム情報よりＰＳＩとＳＩを抽出する。
【００８７】
コントローラ７１７はシステムバス７０４を介して接続される各種デバイス（チューナ復調部７０３、フラッシュＲＯＭ７０９、ＲＡＭ７１０、赤外線受光制御部７１１、ＩＣカードリーダ７１８、ハードディスクドライブインターフェース７２１）との通信を行う。また各ソフトウエアモジュール（ＴＳデマルチプレクサ７１３、画像デコーダ７１４、音声デコーダ７１５、システムデコーダ７１６）に対して制御信号を送る。
【００８８】
本実施例では、据え置き型テレビ受信機２０３を改良し、その赤外線コマンド体系に新しい赤外線コマンドを追加する。実施例１で説明した赤外線コマンドである「電源オン／オフ」コマンド、「３桁番号指定チャンネル切り替え」コマンド（図４、表４０１の行４０６、行４０７）は、どのメーカのテレビ受信機でも備えている汎用性の高いコマンド（以下、汎用赤外線コマンドと略記する）である。
【００８９】
本実施例で追加する赤外線コマンドは、携帯端末２０１との連携において使用されるコマンドである。実施例１では、どのメーカのテレビ受信機でも備えている汎用赤外線コマンドのみを用いて、携帯端末２０１から据え置き型テレビ受信機２０３のチャンネルを切り替える手段を説明した。実施例１の手段では、汎用赤外線コマンドのみを用いるという制約から、「据え置き型テレビ受信機２０３の電源をオンにし、チャンネルを切り替える」ために機能キー２０２を例えば１秒以上長押しするといった操作が必要であった。
【００９０】
これは、汎用赤外線コマンドの「電源オン／オフ」コマンドが、電源がオフならばオンにし、オンならばオフにするというコマンドだからである。携帯端末２０１側では据え置き型テレビ２０３のオン／オフ状態を取得する手段がないため、視聴者が機能キー２０２を長押しするかどうかで「電源オン／オフ」コマンドを発行するかどうかを判断していた。視聴者の操作によっては、例えば据え置き型テレビ受信機２０３が電源オン状態なのに機能キー２０２を長押ししてしまい電源オフになるという、視聴者の期待する動作とは異なる動作を行う可能性を排除できない。
【００９１】
据え置き型テレビ受信機２０３の赤外線コマンド体系に次のような「電源オン」コマンド、「電源オフ」コマンドを追加すれば、上記の問題を解決できる。「電源オン」コマンドは、据え置き型テレビ受信機２０３が電源オフならば電源オンにし、電源オンならば何も行わない。「電源オフ」コマンドは、据え置き型テレビ受信機２０３が電源オンならば電源オフにし、電源オフならば何も行わない。
【００９２】
実施例１では携帯端末２０１で視聴している部分受信サービスに対応するテレビサービスの３桁番号を求める手段を携帯端末２０１側で行っていた。もし携帯端末２０１で視聴している部分受信サービスの３桁番号を据え置き型テレビ受信機２０３に伝える赤外線コマンドがあれば、テレビサービスの３桁番号を求める手段を据え置き型テレビ受信機２０３で行うことが可能になる。据え置き型テレビ受信機２０３は、携帯端末２０１に比較して高機能である。例えば、データ放送を利用した蓄積型サービスをサポートすることが出来る。実施例１のように、サービス番号に依存するサービス（チャンネル）間の関連付けだけでなく、データ放送から得られる情報、例えば番組表（ＥＰＧ）の情報を用いてよりきめの細かい関連付けを行うことも出来る。
【００９３】
本実施例では、追加する赤外線コマンドを拡張データコードと呼ぶ。図８を用いて拡張データコードについて説明する。表８０１に、デバイスコード、汎用データコード、拡張データコードのビット長とビットパターンの一例を示す。列４０２は、デバイスコード、汎用データコード、拡張データコードの種類を示す。列４０３はそれぞれのビット長を示す。列４０４はそれぞれのビットパターンを示す。行４０５はデバイスコード、行４０６は汎用データコード「電源オン／オフ」、行４０７は汎用データコード「３桁番号指定チャンネル切り替え」に関する行であり、これらは実施例１の場合と同じである。
【００９４】
行８０２は拡張データコード「電源オン」に関する行である。そのビット長は８ビットで、ビットパターンは‘１１１１１１１０’である。行８０３は拡張データコード「電源オフ」に関する行である。そのビット長は８ビットで、ビットパターンは‘１１１１１１０１’である。行８０４は拡張データコード「３桁番号伝送」に関する行である。そのビット長は２０ビットで、ビットパターンは‘１１１１１１００’に続いて３桁番号の百の位の値を４ビットで表現したビットパターン、３桁番号の十の位の値を４ビットで表現したビットパターン、３桁番号の一の位の値を４ビットで表現したビットパターンが続く。行８０５は拡張データコード「関連チャンネルに切り替え」に関する行である。そのビット長は８ビットで、ビットパターンは‘１１１１１０１１’である。
【００９５】
赤外線コマンド受光部７１２は、受光した赤外線変調波を復調し、得られたデジタル信号を赤外線受光制御部７１１に送る。赤外線受光制御部７１１はそのデジタル信号からリーダーパルス５０１を認識すると、続くデジタル信号から１信号５０２、０信抽出を試みる。抽出に成功し、先頭４ビットのビットパターン号５０３のが‘０００１’である場合、自身（据え置き型テレビ受信機２０３）への赤外線コマンドであると認識する。次に、赤外線受光制御部７１１は、ＣＰＵ７０１へ割り込み信号を発行する。その割り込み信号によってコントローラ７１７の赤外線コマンド受付ルーチンが起動する。赤外線コマンド受付ルーチンは、システムバス７０４を介し赤外線受光制御部７１１へアクセスし、受光した赤外線コマンドのデータコード部を取得する。得たデータコードを表８０１から検索し、所定の動作を行うルーチンを開始する。
【００９６】
データコードが拡張データコード「電源オン」の場合、据え置き型テレビ受信機２０３が電源オフ状態なら電源オン状態へ移行させ、電源オン状態なら何も行わない。
データコードが拡張データコード「電源オフ」の場合、据え置き型テレビ受信機２０３が電源オン状態なら電源オフ状態へ移行させ、電源オフ状態なら何も行わない。
データコードが拡張データコード「３桁番号伝送」の場合、得たデータコードから３桁番号の百の位、十の位、一の位をデコードし、ＲＡＭ７１０の一時記憶場所に書き込む。
【００９７】
データコードが拡張データコード「関連チャンネルに切り替え」の場合、次に説明する動作を行う。コントローラ７１７は、「３桁番号伝送」コマンドによってＲＡＭ７１０の一時記憶場所に保存されている３桁番号を読み取る。読み取った３桁番号を携帯端末２０１で受信している部分受信サービスの３桁番号であるとし、この３桁番号から関連のあるテレビサービスの３桁番号を求める。次いで求めた３桁番号にチャンネルを切り替える。
【００９８】
「関連のあるテレビサービス」とは、例えば部分受信サービスのサイマル放送を行っているテレビサービスである。
【００９９】
部分受信サービスの３桁番号から関連のあるテレビサービスの３桁番号を求める手段は実施例１の携帯端末２０１側で行われる手段同様でも良い。部分受信サービスのプライマリサービスとテレビサービスのプライマリサービスがサイマル放送であると仮定し、テレビサービスの３桁番号を合成する。部分受信サービスの３桁番号から６００を引いた値の一の位を０にした番号がテレビサービスのプライマリサービスの３桁番号である。そして得られたテレビサービスの３桁番号のチャンネルに切り替えればよい。
【０１００】
また、テレビが蓄えている例えば電子番組表（ＥＰＧ）の情報を用いて関連のあるテレビサービスの３桁番号を求めても良い。部分受信サービスの３桁番号を検索キーにして番組表を検索し、携帯端末２０１側で視聴中の番組（部分受信サービス）の番組名文字列を得る。次にその番組名文字列と、番組表中の他チャンネル（テレビサービス）の番組名文字列との比較を行う。一部あるいは全部が一致する番組名文字列を持つチャンネルの３桁番号を、関連のあるテレビサービスの３桁番号とする。こうして得られたテレビサービスの３桁番号のチャンネルに切り替えればよい。
【０１０１】
図９を用いて、ＥＰＧのデータから関連のあるテレビサービスの３桁番号を取得する方法について説明する。ＥＰＧは、ＳＩの情報を用いて、据え置き型テレビ受信機２０３にて作られる。番組ごとの情報は、ＳＩを構成するテーブルの一種であるＥＩＴ（Ｅｖｅｎｔ  Ｉｎｆｏｍａｔｉｏｎ  Ｔａｂｌｅ）に記述されている。ＥＩＴの情報から、番組名文字列、開始時刻と番組の長さを得ることができる。
【０１０２】
携帯端末２０１は、受信中の部分受信サービスの３桁番号を赤外線コマンドによって据え置き型テレビ受信機２０３へ送信する。据え置き型テレビ受信機２０３では、送信された赤外線コマンドを赤外線コマンド受光部７１２で受信する。コントローラ７１７は、赤外線受光制御部７１１を通して携帯端末２０１から送られてきた部分受信サービスの３桁番号９０１を取得する。
【０１０３】
ｒｅｍｏｔｅ＿ｃｏｎｔｒｏｌ＿ｋｅｙ＿ｉｄ抽出部９０２では３桁番号９０１を数値とみなし、その値から６００を引く。その結果を１０で割り、割った結果の小数点以下を切り捨てる。得られた数値はｒｅｍｏｔｅ＿ｃｏｎｔｒｏｌ＿ｋｅｙ＿ｉｄである。
【０１０４】
ＮＩＴ検索部９０３は、ｒｅｍｏｔｅ＿ｃｏｎｔｒｏｌ＿ｋｅｙ＿ｉｄを受け取り、それをキーにしてＮＩＴテーブル群９０６から携帯端末２０１が受信している放送局に対応するＮＩＴテーブルを検索する。次に特定したＮＩＴテーブルから、その放送局が送出しているサービスの一覧を表すｓｅｒｖｉｃｅ＿ｉｄのリストを抽出する。
【０１０５】
ＥＩＴ検索部９０４は、ｓｅｒｖｉｃｅ＿ｉｄのリストを受け取り、リストに含まれるｓｅｒｖｉｃｅ＿ｉｄの数だけＥＩＴ検索を繰り返す。ＥＩＴテーブルは放送されている各番組に関する情報テーブルである。１つのＥＩＴテーブルに１つの番組に関する情報が記載されている。ＥＩＴテーブルには番組の開始時間と番組の長さの情報、および番組名文字列が含まれている。図示したＥＩＴテーブル群９０７、９０８、９０９はＥＩＴテーブルをｓｅｒｖｉｃｅ＿ｉｄ毎に分けて並べたものである。例えば、ＥＩＴテーブル群９０７はテレビサービス（１）のＥＩＴテーブル群であり、９０８はテレビサービス（２）のＥＩＴテーブル群であり、９０９は部分受信サービスのＥＩＴテーブル群であるとする。ｓｅｒｖｉｃｅ＿ｉｄに従ってＥＩＴテーブル群を選択し、また現在時刻により現在放送中の番組のＥＩＴを特定することが出来る。ｓｅｒｖｉｃｅ＿ｉｄ毎にＥＩＴテーブルが定まり、それぞれのＥＩＴテーブルから番組名文字列が得られる。得られた番組名文字列（本実施例では３件）は、文字列比較評価部９０５に送られる。
【０１０６】
文字列比較評価部９０５では、後述するように部分受信サービスの番組名文字列と、テレビサービスの番組名文字列との類似性を評価する。本実施例では、部分受信サービスの番組名文字列とテレビサービス（１）の番組名文字列との比較、及び部分受信サービスの番組名文字列とテレビサービス（２）の番組名文字列との比較を行う。同じ内容（例えばある野球の試合）を放送しているなら、それらの番組名文字列は類似したものになるはずである。よって、一致する文字が多い方のテレビサービスを、携帯端末２０１で受信中の部分受信サービスの関連あるテレビサービスであるとする。
【０１０７】
図１０を用いて、文字列比較評価部９０５における文字列比較評価の一例を説明する。テレビサービス（１）の番組名文字列１００１と部分受信サービスの番組名文字列１００２との比較を行うとする。文字を表すマスの中の数字は文字列内のインデックスである。まず、部分受信サービスの番組名文字列１００２の先頭の文字［１］とテレビサービス（１）の番組名文字列１００１の各文字とを比較する。一致する文字の無い場合は、同様に番組名文字列１００２の文字［２］とテレビサービス（１）の番組名文字列１００１の各文字とを比較する。以下同様に文字の比較を行い、例えば番組名文字列１００２の文字［３］と番組名文字列１００１の文字［５］が一致したとする。次にそれぞれの文字列の一致した文字に続く文字列部分を比較する。例えば番組名文字列１００２の文字［４］と番組名文字列１００１の文字［６］を比較する。一致していれば、同様に次の文字の比較を行う。一致しない文字になったり、どちらかの文字列の最後に到達したりした場合、一致した文字列の長さを評価値とする。例えば図１０の例では、評価値は５となる。
【０１０８】
同様に、部分受信サービスの番組名文字列とテレビサービス（２）の番組名文字列の比較評価を行う。テレビサービス（１）の評価値と、テレビサービス（２）の評価値を比較し、値の大きい方を関連のあるテレビサービスとする。その３桁番号を関連あるテレビサービスの３桁番号９１０とする。
【０１０９】
本実施例においては、視聴者が携帯端末２０１の機能キー２０２を押下すると、携帯端末２０１は「３桁番号伝送」赤外線コマンドと「関連チャンネルに切り替え」赤外線コマンドを送信する事とする。これは、実施例１における機能キー２０２押下の際の動作とは異なる。このため、携帯端末２０１のアプリケーションプログラムを変更する必要がある。こうした仕様変更に伴う携帯端末２０１のアプリケーションプログラムの変更は、実施例１で示したようにＩＣカード１２１を用いることで可能である。
【０１１０】
視聴者の立場から見た本発明の効果を次のような例をとって述べる。ある放送事業者がスポーツ中継番組をハイビジョン放送とワンセグ（部分受信サービス）放送とでサイマル放送しているとする。帰宅中、携帯端末２０１でスポーツ中継番組を視聴していた視聴者が自宅に到着し、番組の続きを据え置き型テレビ受信機２０３の大きな画面で視聴することを望む、というケースである。
【０１１１】
従来ならば、視聴者は据え置き型テレビ受信機２０３のリモコンを手に取り、据え置き型テレビ受信機２０３をオンにし、次に携帯端末２０１で視聴中だった番組のチャンネルを調べ、サイマル放送されているハイビジョン放送のチャンネルを推定し、リモコンを使ってチャンネルを切り替える、という手順が必要だった。
【０１１２】
本発明による携帯端末２０１ならば、機能キー２０２を1回押下するだけで上記の手順を全て行うことが出来る。手間が省けるだけでなく、直感的にも分かりやすいユーザーインターフェースを提供することが可能になる。
【０１１３】
上記実施例では、携帯端末から据え置き型テレビ受信機で放送サービスを視聴する場合について説明したが、据え置き型テレビ受信機で視聴中の放送サービスを携帯端末で視聴する場合にも適用できることは言うまでもない。この場合には、携帯端末から据え置き型テレビ受信機への赤外線通信に替えて、双方向の無線通信や双方向赤外線通信をおこなうようにすることが望ましい。
【図面の簡単な説明】
【０１１４】
【図１】実施例の携帯端末の内部構成図である。
【図２】携帯端末とＴＶとの連携を説明する図である。
【図３】トランスポートストリームから得られる情報の説明図である。
【図４】デバイスコード、データコードの表である。
【図５】機能ボタンオン時の赤外線コマンド送出タイミングを示す図である。
【図６】機能ボタンオン時の赤外線コマンド送出タイミングを示す図である。
【図７】テレビ受信機の内部構成図である。
【図８】デバイスコード、データコードの表である。
【図９】ＥＰＧから連携チャンネルの３桁番号を検索する方法の説明図である。
【図１０】文字列比較評価方法の説明図である。
【符号の説明】
【０１１５】
１０１…ＣＰＵ、１０２…アンテナ、１０３…チューナ復調部、１０４…システムバス、１０５…画像出力部、１０６…表示器、１０７…音声出力部、１０８…イヤホンジャック、１０９…フラッシュＲＯＭ、１１０…ＲＡＭ、１１１…キーパッド制御部、１１２…キーパッド、１１３…赤外線ＬＥＤ制御部、１１４…赤外線コマンド送出部、１１５…ＴＳデマルチプレクサ、１１６…画像デコーダ、１１７…音声デコーダ、１１８…システムデコーダ、１１９…コントローラ、１２０…ＩＣカードリーダ、１２１…ＩＣカード、２０１…携帯端末、２０２…機能キー、２０３…据え置き型テレビ受信機、２０４…テレビ画面、２０５…赤外線コマンド受信部、
【図１】
2008187307.tif 000003
【図２】
2008187307.tif 000004
【図３】
2008187307.tif 000005
【図４】
2008187307.tif 000006
【図５】
2008187307.tif 000007
【図６】
2008187307.tif 000008
【図７】
2008187307.tif 000009
【図８】
2008187307.tif 000010
【図９】
2008187307.tif 000011
【図１０】
2008187307.tif 000012